(57)【要約】【課題】むらのない高品質な放射線画像情報を得ることのできる放射線画像撮影装置を提供する。【解決手段】放射線検出器４８を構成する線状電極７２の延在方向と直交する方向に多数の発光素子を配列した読取光源部５０を前記延在方向に移動させ、前記発光素子から出力された読取光を線状電極７２を介して読取用光導電層６６に照射させることで電荷情報を取得する放射線画像撮影装置において、前記発光素子に供給される駆動電流の前記延在方向に対する向きが交互に設定されるように読取光源部５０の配線回路を構成することで、駆動電流により発生する変動磁界を相殺して、放射線検出器４８から不適切な電荷情報が発生する事態を抑制する。【選択図】図３
2009079994.tif 000002
【特許請求の範囲】
【請求項１】
画像情報を静電潜像として蓄積し、読取用電磁波を照射することで前記静電潜像が電荷情報として読み出される検出器を備えた画像撮影装置において、
前記検出器は、
前記画像情報を担持した記録用電磁波に対して透過性を有する第１電極層と、
前記記録用電磁波が照射されることで光導電性を呈する記録用光導電層と、
前記記録用光導電層で発生する電荷を蓄積する蓄電部と、
前記第１電極層に帯電される電荷と同極性の電荷に対して略絶縁体として作用する一方、前記電荷と逆極性の電荷に対しては略導電体として作用する電荷輸送層と、
前記読取用電磁波が照射されることで光導電性を呈する読取用光導電層と、
前記読取用電磁波に対して透過性を有し、副走査方向に延在する一方、主走査方向に配列される多数の線状電極からなる第２電極層と、
が順に配列されるとともに、
一部の前記線状電極の一端部に接続され、当該線状電極から前記蓄電部に蓄積された電荷情報を読み出す第１読出部と、
前記一端部とは反対側であって、前記第１読出部が接続されていない前記線状電極の他端部に接続され、当該線状電極から前記蓄電部に蓄積された電荷情報を読み出す第２読出部と、
を備え、
前記読取用電磁波を前記検出器に照射する読取光源部は、
前記主走査方向に配列され、前記読取用電磁波を出力する複数の発光素子と、
前記各発光素子に供給される駆動電流の向きが前記副走査方向に沿って交互に設定され、前記駆動電流による前記読取用光導電層に対する磁界の時間的変動を相殺するように配線される配線回路と、
を備え、前記線状電極が延在する前記副走査方向に移動し、前記読取用光導電層を前記読取用電磁波により走査するように構成されることを特徴とする画像撮影装置。
【請求項２】
請求項１記載の装置において、
前記配線回路は、前記各発光素子を直列接続し、隣接する配線における駆動電流の向きが前記副走査方向に沿って反対方向となるように構成されることを特徴とする画像撮影装置。
【請求項３】
請求項１記載の装置において、
前記配線回路は、前記各発光素子を並列接続してなる第１配線回路及び第２配線回路を有し、前記第１配線回路の前記発光素子に供給される駆動電流の向きと、前記第１配線回路の前記発光素子に隣接して配置される前記第２配線回路の前記発光素子に供給される駆動電流の向きとが前記副走査方向に沿って反対方向となるように、前記第１配線回路及び前記第２配線回路が配置されることを特徴とする画像撮影装置。
【請求項４】
請求項１〜３のいずれか１項に記載の装置において、
前記検出器は、放射線画像情報を静電潜像として蓄積する放射線検出器であることを特徴とする画像撮影装置。
【発明の詳細な説明】
【技術分野】
【０００１】
本発明は、画像情報を静電潜像として蓄積し、読取用電磁波を照射することで前記静電潜像が電荷情報として読み出される検出器を備えた画像撮影装置に関する。
【背景技術】
【０００２】
例えば、医療分野においては、放射線源から放射線を被写体（患者）に照射し、被写体を透過した放射線を放射線検出器により検出し、放射線画像情報を取得する放射線画像撮影装置が広汎に使用されている。
【０００３】
ここで、被写体に対する放射線の照射線量を減少させるとともに、診断適正に優れた放射線画像情報を取得することのできる放射線検出器が開発されている（特許文献１）。
【０００４】
図７は、従来技術に係る放射線検出器２を備えた放射線画像撮影装置４の概略構成を示す。放射線検出器２は、放射線画像情報を静電潜像として蓄積し、読取用電磁波を照射することで前記静電潜像が電荷情報として読み出されるものである。
【０００５】
放射線検出器２は、被写体を透過した放射線Ｘに対して透過性を有する第１電極層６と、放射線Ｘが照射されることで導電性を呈する記録用光導電層８と、潜像電荷に対しては略絶縁体として作用する一方、潜像電荷と逆極性の輸送電荷に対して略導電体として作用する電荷輸送層１０と、読取光源部１２から読取光Ｌが照射されることで導電性を呈する読取用光導電層１４と、読取光Ｌに対して透過性を有する第２電極層１６とを順に積層して構成される。
【０００６】
記録用光導電層８と電荷輸送層１０との界面には、記録用光導電層８で発生した電荷を潜像電荷として蓄積する蓄電部１８が形成される。第２電極層１６は、読取光源部１２が延在する方向と直交する方向に延在する多数の線状電極２０を有する。線状電極２０には、蓄電部１８に蓄積された潜像電荷に係る電荷情報を読み出す第１読出部２２及び第２読出部２４が接続される。なお、図７に示す放射線検出器２では、線状電極２０が、２本の線状電極２０毎に交互に上下の第１読出部２２及び第２読出部２４に接続されている。第１読出部２２及び第２読出部２４を上下に分離して構成することにより、線状電極２０と第１読出部２２、第２読出部２４とを接続する配線や、第１読出部２２及び第２読出部２４の配置の自由度を向上させることができる。
【０００７】
このように構成される放射線検出器２を備えた放射線画像撮影装置４では、第１電極層６及び第２電極層１６間に直流電圧を印加した状態で放射線検出器２に放射線Ｘが照射されると、記録用光導電層８が導電性を呈して電荷対が発生する。発生した一方の極性の電荷は、第１電極層６の電荷と結合して消滅し、他方の極性の電荷は、蓄電部１８に蓄積される。次いで、第１電極層６及び第２電極層１６間への高電圧の供給を停止させた後、読取光源部１２を線状電極２０に沿って矢印方向に移動させながら、ライン状の読取光Ｌをオンオフ制御しながら読取用光導電層１４に照射すると、読取用光導電層１４が導電性を呈して電荷対が発生する。読取用光導電層１４で発生した一方の極性の電荷は、電荷輸送層１０を移動し、蓄電部１８に蓄積されている電荷と結合して消滅する。一方、読取用光導電層１４で発生した他方の極性の電荷は、第２電極層１６の電荷と結合して消滅する。このとき、第２電極層１６を構成する線状電極２０には、電荷の消滅に伴う電流が発生し、この電流が第１読出部２２及び第２読出部２４によって電荷情報として読み出される。
【０００８】
【特許文献１】特開２０００−２８７０３４号公報
【発明の開示】
【発明が解決しようとする課題】
【０００９】
ところで、図８に示すように、ＬＥＤ等の複数の発光素子２６を線状電極２０の配列方向に並べ、駆動電源２８に並列接続して読取光源部１２を構成した場合、全ての発光素子２６を流れる電流の向きが線状電極２０の延在する方向に沿って同一の向きとなる。一方、第１読出部２２によって線状電極２０から読み出される放射線画像情報に係る電流の向きと、第２読出部２４によって線状電極２０から読み出される電流の向きとは、異なる向きとなる。
【００１０】
この場合、各発光素子２６に流れる電流によって磁界Ｈが発生するが、読取光源部１２は、線状電極２０に沿って移動し、且つ、発光素子２６をオンオフ制御させながら読取用光導電層１４を走査しているため、読取用光導電層１４の各走査位置における磁界Ｈが時間的に変動することになる。磁界Ｈが変動すると、それに伴って発生する電界Ｅも変動するため、この電界Ｅの変動に起因して線状電極２０を流れる電流が影響を受ける。この結果、第１読出部２２によって読み出される電流と、第２読出部２４によって読み出される電流との間に差が生じ、この差によって電荷情報にむらが発生してしまう。
【００１１】
本発明は、前記の不具合に鑑みなされたものであり、むらのない高品質な画像情報を得ることのできる画像撮影装置を提供することを目的とする。
【課題を解決するための手段】
【００１２】
本発明に係る画像撮影装置は、画像情報を静電潜像として蓄積し、読取用電磁波を照射することで前記静電潜像が電荷情報として読み出される検出器を備えた画像撮影装置において、
前記検出器は、
前記画像情報を担持した記録用電磁波に対して透過性を有する第１電極層と、
前記記録用電磁波が照射されることで光導電性を呈する記録用光導電層と、
前記記録用光導電層で発生する電荷を蓄積する蓄電部と、
前記第１電極層に帯電される電荷と同極性の電荷に対して略絶縁体として作用する一方、前記電荷と逆極性の電荷に対しては略導電体として作用する電荷輸送層と、
前記読取用電磁波が照射されることで光導電性を呈する読取用光導電層と、
前記読取用電磁波に対して透過性を有し、副走査方向に延在する一方、主走査方向に配列される多数の線状電極からなる第２電極層と、
が順に配列されるとともに、
一部の前記線状電極の一端部に接続され、当該線状電極から前記蓄電部に蓄積された電荷情報を読み出す第１読出部と、
前記一端部とは反対側であって、前記第１読出部が接続されていない前記線状電極の他端部に接続され、当該線状電極から前記蓄電部に蓄積された電荷情報を読み出す第２読出部と、
を備え、
前記読取用電磁波を前記検出器に照射する読取光源部は、
前記主走査方向に配列され、前記読取用電磁波を出力する複数の発光素子と、
前記各発光素子に供給される駆動電流の向きが前記副走査方向に沿って交互に設定され、前記駆動電流による前記読取用光導電層に対する磁界の時間的変動を相殺するように配線される配線回路と、
を備え、前記線状電極が延在する前記副走査方向に移動し、前記読取用光導電層を前記読取用電磁波により走査するように構成されることを特徴とする。
【発明の効果】
【００１３】
本発明によれば、読取光源部を構成する複数の発光素子に供給される駆動電流の向きが、線状電極の延在方向に沿って交互に反対方向となるように配線することにより、駆動電流によって発生する磁界の変動を相殺し、むらのない高品質な画像情報を得ることができる。
【発明を実施するための最良の形態】
【００１４】
図１は、本発明の実施形態に係る画像撮影装置である乳癌検診等に利用されるマンモグラフィ装置３０の斜視説明図である。
【００１５】
マンモグラフィ装置３０は、立設状態に設置される基台３２と、基台３２の略中央部に配設された旋回軸３４に固定されるアーム部材３６と、被写体３８の撮影部位である乳房３９（図２参照）に対して放射線Ｘ（記録用電磁波、図２参照）を照射する放射線源（不図示）を収納し、アーム部材３６の一端部に固定される放射線源収納部４０と、該放射線源収納部４０に対向配置されて、アーム部材３６の他端部に固定される撮影台４２と、撮影台４２に対して乳房３９を押圧して保持する圧迫板４４とを備える。
【００１６】
放射線源収納部４０及び撮影台４２が固定されたアーム部材３６は、旋回軸３４を中心として矢印Ａ方向に旋回することで、被写体３８の乳房３９に対する撮影方向が調整可能に構成される。圧迫板４４は、アーム部材３６に連結された状態で放射線源収納部４０及び撮影台４２間に配設されており、矢印Ｂ方向に変位可能に構成される。
【００１７】
また、基台３２には、マンモグラフィ装置３０によって検出された被写体３８の撮影部位、撮影方向等の撮影情報、被写体３８のＩＤ情報等を表示するとともに、必要に応じてこれらの情報を設定可能な表示操作部４６が配設される。
【００１８】
図２は、マンモグラフィ装置３０における撮影台４２の内部構成を示す要部説明図であり、撮影台４２及び圧迫板４４間に被写体３８の撮影部位である乳房（マンモ）３９を配置した状態を示す。
【００１９】
撮影台４２の内部には、放射線源収納部４０に内蔵された放射線源から出力された放射線Ｘに基づいて撮影された放射線画像情報を蓄積し、電気信号として出力する放射線検出器４８と、放射線検出器４８に蓄積記録された放射線画像情報を読み取るために、放射線検出器４８に読取光Ｌ（読取用電磁波、図３参照）を照射する読取光源部５０と、放射線検出器４８に消去光を照射する消去光源部５２とが収納される。読取光源部５０は、移動走査機構５４によって図２の面と直交する方向（図３の矢印Ｃ方向）に移動走査するように構成される。
【００２０】
放射線検出器４８は、直接変換方式且つ光読出方式の固体検出器であって、乳房３９を透過した放射線Ｘに基づく放射線画像情報を静電潜像として蓄積し、読取光源部５０からのオンオフ制御された読取光Ｌにより走査されることで、静電潜像に応じた電荷情報を電流として発生する。
【００２１】
図３は、放射線検出器４８と、放射線検出器４８に読取光Ｌを照射する読取光源部５０と、放射線検出器４８から放射線画像情報を読み出すための第１読出部５６及び第２読出部５８とからなる放射線画像情報の検出読出回路の説明図である。
【００２２】
放射線検出器４８は、図７に示す放射線検出器２と同様の構成とすることができる。すなわち、放射線検出器４８は、放射線Ｘが照射される側から順に、被写体３８の乳房３９を透過した放射線Ｘに対して透過性を有する第１電極層６０と、放射線Ｘが照射されることで導電性を呈する記録用光導電層６２と、潜像電荷に対しては略絶縁体として作用する一方、潜像電荷と逆極性の輸送電荷に対して略導電体として作用する電荷輸送層６４と、読取光源部５０から読取光Ｌが照射されることで導電性を呈する読取用光導電層６６と、読取光Ｌに対して透過性を有する第２電極層６８とが配設されて構成される。
【００２３】
記録用光導電層６２と電荷輸送層６４との界面には、記録用光導電層６２で発生した電荷を潜像電荷として蓄積する蓄電部７０が形成される。第２電極層６８は、読取光源部５０が延在する方向と直交する方向に延在する多数の線状電極７２を有する。線状電極７２には、蓄電部７０に蓄積された潜像電荷に係る電荷情報を読み出す第１読出部５６及び第２読出部５８が接続される。
【００２４】
図３に示す放射線検出器４８では、線状電極７２が、２本の線状電極７２毎に交互に第１読出部５６及び第２読出部５８に接続される構成としている。なお、線状電極７２は、１本毎、あるいは、３本以上を纏めて第１読出部５６及び第２読出部５８に接続する構成としてもよい。第１読出部５６及び第２読出部５８を放射線検出器４８の両側部に分離して構成することにより、線状電極７２と第１読出部５６及び第２読出部５８とを接続する配線や、第１読出部５６及び第２読出部５８の配置の自由度を向上させることができる。
【００２５】
第１読出部５６は、放射線検出器４８の第１電極層６０及び第２電極層６８間に所定の電圧を印加する電源７４及びスイッチ７６と、各線状電極７２に接続され、潜像電荷としての放射線画像情報を電流として検出する電流検出アンプ７８と、各電流検出アンプ７８の出力であるアナログ信号をデジタル信号に変換するＡ／Ｄ変換部８０とを備える。電流検出アンプ７８は、オペアンプ８２、積分コンデンサ８４及びスイッチ８６から構成される。線状電極７２は、オペアンプ８２の反転入力端子に接続され、電源７４は、スイッチ７６を介してオペアンプ８２の非反転入力端子に接続される。第２読出部５８は、第１読出部５６と同様に構成されており、その説明は省略する。
【００２６】
図４は、読取光源部５０の構成図である。読取光源部５０は、放射線検出器４８の第２電極層６８を構成する線状電極７２の配列方向であって、読取光源部５０の移動走査方向（副走査方向）である矢印Ｃ方向と直交する方向（主走査方向）に配列される複数の発光素子８８と、発光素子８８に対して駆動電流を供給する読取光源駆動部９０とを備える。この場合、発光素子８８は、配線回路９２によって直列に接続されており、隣接して配設される各発光素子８８を流れる電流の向きが、線状電極７２の延在方向であって、交互に反対方向となるように構成される。なお、発光素子８８としては、例えば、ＬＥＤを使用することができる。
【００２７】
本実施形態のマンモグラフィ装置３０は、基本的には以上のように構成されるものであり、次にその動作について説明する。
【００２８】
先ず、図示しないコンソール、ＩＤカード等を用いて、被写体３８に係るＩＤ情報、撮影方法等の設定を行う。この場合、ＩＤ情報には、被写体３８の氏名、年齢、性別等の情報があり、被写体３８が所持するＩＤカードから取得することができる。なお、マンモグラフィ装置３０がネットワークに接続されている場合には、そのネットワーク上の他の装置から取得することも可能である。また、撮影方法には、医師によって指示された撮影部位、撮影方向等の情報があり、ネットワークに接続された上位の装置から取得し、あるいは、コンソールから放射線技師が入力することが可能である。これらの情報は、マンモグラフィ装置３０の表示操作部４６に表示して確認することができる。
【００２９】
続いて、放射線技師は、指定された撮影方法に従ってマンモグラフィ装置３０を所定の状態に設定する。例えば、乳房３９の撮影方向としては、上部から放射線Ｘを照射して撮影を行う頭尾方向（ＣＣ）撮影、側面から放射線Ｘを照射して撮影を行う側面方向（ＭＬ）撮影、斜め方向から放射線Ｘを照射して撮影を行う内外側斜位（ＭＬＯ）撮影があり、これらの撮影方向に応じてアーム部材３６を旋回軸３４を中心に旋回させる。
【００３０】
次に、マンモグラフィ装置３０に対して被写体３８の乳房３９を位置決めする。すなわち、乳房３９を撮影台４２に載置した後、圧迫板４４を押し下げ、撮影台４２及び圧迫板４４間に乳房３９を保持させる（図２参照）。
【００３１】
以上の準備作業が完了した後、放射線源収納部４０に収納されている図示しない放射線源を駆動し、設定された撮影条件に従った放射線Ｘを乳房３９に照射する。この場合、撮影台４２に収納されている放射線検出器４８は、図３に示す第１読出部５６及び第２読出部５８を構成するスイッチ７６を電源７４側に接続させることで、第１電極層６０及び第２電極層６８間に所定の電圧を印加させておく。
【００３２】
乳房３９を透過した放射線Ｘは、放射線検出器４８を構成する第１電極層６０を介して記録用光導電層６２に照射される。このとき、記録用光導電層６２は、導電性を呈して電荷対が生成される。生成された電荷対のうち、正電荷は、電源７４から第１電極層６０に供給される負電荷と結合して消滅する。一方、記録用光導電層６２で生成された負電荷は、電荷輸送層６４に向かって移動する。電荷輸送層６４は、負電荷に対して略絶縁体として作用するため、記録用光導電層６２と電荷輸送層６４との界面である蓄電部７０に静電潜像として負電荷が蓄積される。
【００３３】
以上のようにして放射線検出器４８に静電潜像が記録された後、第１読出部５６及び第２読出部５８により放射線画像情報の読み出しを行う。この場合、第１読出部５６及び第２読出部５８を構成するスイッチ７６を介して、電流検出アンプ７８を構成するオペアンプ８２の非反転端子と放射線検出器４８の第１電極層６０とを接続する。
【００３４】
そこで、移動走査機構５４を駆動し、読取光源部５０を矢印Ｃ方向（副走査方向）に移動させながら、オンオフ制御される読取光Ｌを読取用光導電層６６に照射させるとともに、電流検出アンプ７８のスイッチ８６を副走査方向の所定の画素ピッチに従い読取光Ｌに同期させてオンオフ制御させることにより、静電潜像に係る電荷情報である放射線画像情報の読み出しを行う。
【００３５】
読取光源駆動部９０から駆動電流を読取光源部５０の各発光素子８８に供給し、発光素子８８から出力された読取光Ｌが第２電極層６８を介して読取用光導電層６６に照射されると、読取用光導電層６６が導電性を呈して電荷対が生成される。生成された電荷対のうち、正電荷は、正電荷に対して略導電体として作用する電荷輸送層６４を介して蓄電部７０に到達し、蓄電部７０に蓄積されている静電潜像を構成する負電荷と結合して消滅する。一方、読取用光導電層６６の負電荷は、第２電極層６８を構成する線状電極７２の正電荷と再結合して消滅する。このとき、電荷の消滅に伴って線状電極７２に電流が発生し、この電流が放射線画像情報に係る電荷情報として第１読出部５６及び第２読出部５８によって読み出される。
【００３６】
線状電極７２で発生した電流は、電流検出アンプ７８を構成するオペアンプ８２によって積分され、電圧信号としてＡ／Ｄ変換部８０に供給される。Ａ／Ｄ変換部８０は、電流検出アンプ７８から供給されるアナログの電圧信号を線状電極７２の配列方向である主走査方向に順次切り替えながらデジタル信号に変換する。得られたデジタル信号は、放射線画像情報として読み出され、外部に出力される。なお、副走査方向に対する１画素分の放射線画像情報が読み出された時点で電流検出アンプ７８のスイッチ８６がオンとされ、積分コンデンサ８４に蓄積されていた電荷が放電される。読取光源部５０を矢印Ｃ方向に移動させながら、以上の動作を繰り返すことにより、放射線検出器４８に蓄積記録された放射線画像情報が二次元的に読み出されることになる。
【００３７】
ここで、放射線画像情報を放射線検出器４８から読み出す際、読取光源部５０を構成する配線回路９２に供給され、発光素子８８をオンオフ制御する駆動電流により磁界が発生し、その磁界の変動が線状電極７２の電流に影響を与える。しかしながら、図４に示すように、各発光素子８８は、配線回路９２によって直列に接続され、隣接する各発光素子８８を流れる電流の向きが、線状電極７２の延在方向であって交互に反対となるように設定されているため、発生した変動磁界が相殺されて電流に影響を与えない状態となる。この結果、線状電極７２で発生した電流は、読取光源部５０の影響を受けることなく、電荷情報に対応した高精度な放射線画像情報として読み出されることになる。
【００３８】
なお、発光素子８８に供給される電流によって発生する変動磁界を相殺する回路構成としては、例えば、図５に示すように、読取光源部５０を構成する複数の発光素子８８ａを並列に接続した第１配線回路９４ａと、複数の発光素子８８ｂを並列に接続した第２配線回路９４ｂとを、供給される駆動電流の向きが異なる発光素子８８ａ、８８ｂが隣接するように配設して構成することもできる。
【００３９】
また、図６に示すように、並列に接続した複数の発光素子９６ａ、９６ｂをさらに並列接続した第１配線回路９８ａ及び第２配線回路９８ｂを図のように配設して構成してもよい。
【００４０】
なお、本発明は、上述した実施形態に限定されるものではなく、本発明の主旨を逸脱しない範囲で自由に変更できることは勿論である。例えば、照射された放射線Ｘにより電荷対を生成する記録用光導電層６２を用いた放射線検出器４８に代えて、シンチレータによって放射線Ｘを一旦可視光に変換し、その可視光が照射されることで電荷対を生成する記録用光導電層を用いた放射線検出器を利用することもできる。
【００４１】
また、本発明は、放射線検出器に限定されるものではなく、放射線以外の電磁波、例えば、被写体からの可視光を検出することで画像情報を蓄積し、次いで、読取光を照射することで画像情報が読み出される検出器を用いた画像撮影装置にも適用することができる。
【００４２】
さらに、放射線検出器又は検出器に読取光を照射して画像情報を読み出す際、前記読取光を連続発光させながら、放射線検出器又は検出器から画像情報を読み出すようにしてもよい。この場合、読取光が放射線検出器又は検出器に対して相対的に移動することで発生する変動磁界は、読取光源部を構成する配線回路を図４〜図６に示すように構成することで相殺することができる。
【図面の簡単な説明】
【００４３】
【図１】本発明の実施形態に係る放射線画像撮影装置としてのマンモグラフィ装置の斜視説明図である。
【図２】図１に示すマンモグラフィ装置における撮影台の内部構成を示す要部説明図である。
【図３】図２に示す撮影台の内部に配設される放射線検出器を含む検出読出回路の説明図である。
【図４】図３に示す放射線検出器に対して読取光を照射する読取光源部の配線回路の説明図である。
【図５】読取光源部の配線回路の他の構成の説明図である。
【図６】読取光源部の配線回路のさらに他の構成の説明図である。
【図７】従来技術に係る放射線検出器を備えた放射線画像撮影装置の概略構成図である。
【図８】従来技術に係る読取光源部の配線回路の説明図である。
【符号の説明】
【００４４】
３０…マンモグラフィ装置
３８…被写体
４０…放射線源収納部
４２…撮影台
４４…圧迫板
４８…放射線検出器
５０…読取光源部
５２…消去光源部
５４…移動走査機構
５６…第１読出部
５８…第２読出部
７２…線状電極
８８、８８ａ、８８ｂ、９６ａ、９６ｂ…発光素子
９０…読取光源駆動部
９２…配線回路
９４ａ、９８ａ…第１配線回路
９４ｂ、９８ｂ…第２配線回路
【図１】
2009079994.tif 000003
【図２】
2009079994.tif 000004
【図３】
2009079994.tif 000005
【図４】
2009079994.tif 000006
【図５】
2009079994.tif 000007
【図６】
2009079994.tif 000008
【図７】
2009079994.tif 000009
【図８】
2009079994.tif 000010